(57)【特許請求の範囲】
【請求項１】
扉を備える照明付収納体であって、
前記扉の上端部にヒンジを介して開閉自在の照明用電源としての太陽光電池を備えた二面からなるパネルを設け、前記パネルの第１の面を前記扉の上端部に固着するとともに前記ヒンジは第２の面を第１の面から開放して太陽光電池を開く方向に回転付勢するスプリングを備え、
前記扉の上端部に沿って前記照明付収納体に照明器具を納める収納筐体を設け、前記収納筐体の前記扉に対面する側面に扉上方に向かって斜面が設けられ、
前記扉を閉めるのに連動して、第２の面は前記斜面を用いて前記スプリングの回転付勢に打勝って第１の面に重なり前記パネルが折畳まれることを特徴とする照明付収納体。
【請求項２】
請求項1に記載の照明付収納体であって、前記パネルの幅は折畳まれた状態で前記扉の厚さ内に収まることを特徴とする照明付収納体。
【発明の詳細な説明】
【技術分野】
【０００１】
本発明は物置等の収納体に関するもので、詳しくは、収納体内の照明用電源に太陽光電池を用いる照明付収納体の技術に関する。 
【背景技術】
【０００２】
従来、建物の廊下壁等に設けられる収納体（収納庫）は、内部への採光をできるだけ多くするために、扉位置を窓際に配置したり、廊下に設置された照明の近くに設ける等の工夫がされている。ところが、収納体の外部からの採光だけでは内部の必要照明が十分には得られないので、省エネによる照明器具が必要とされていた。
【０００３】
このような照明付収納体は、例えば特許文献１に開示されている。特許文献１には、図４に示すように、物置１の屋根上部に太陽光電池２、物置内部に室内灯３、物置出入口部に入口灯４とモーションセンサー５と音声装置６を設置し、各部材はコネクター７を介して接続されている。
【０００４】
太陽光電池２は底面部を永久磁石あるいは接着剤あるいは固定部材を使用して物置１の屋根上部で太陽光を十分に吸収できる場所に固定する。室内灯３は物置１の内部を、入口灯４は出入口部及び錠部を照らす任意場所に設置するとともに点灯の設定時間も変更できるよう構成される。
【特許文献１】登録実用新案第３０９８２７１号公報
【発明の開示】
【発明が解決しようとする課題】
【０００５】
ところが、上記の太陽光電池２は物置１の屋根上部に固定されているので人目に付くため外観上好ましくないという問題があった。そこで、本発明はかかる従来技術の問題に鑑みなされたものであって、太陽光電池を人目に付かないように設置するとともに、その受光面積を増加することのできる照明付収納体を提供することを目的とする。
【課題を解決するための手段】
【０００６】
請求項１の発明は、扉を備える照明付収納体であって、前記扉の上端部にヒンジを介して開閉自在の照明用電源としての太陽光電池を備えた二面からなるパネルを設け、前記パネルの第１の面を前記扉の上端部に固着するとともに前記ヒンジは第２の面を第１の面から開放して太陽光電池を開く方向に回転付勢するスプリングを備え、前記扉の上端部に沿って前記照明付収納体に照明器具を納める収納筐体を設け、前記収納筐体の前記扉に対面する側面に扉上方に向かって斜面が設けられ、前記扉を閉めるのに連動して、第２の面は前記斜面を用いて前記スプリングの回転付勢に打勝って第１の面に重なり前記パネルが折畳まれることを特徴としている。
【０００７】
請求項２の発明は、請求項1に記載の照明付収納体であって、前記パネルの幅は折畳まれた状態で前記扉の厚さ内に収まることを特徴としている。
【発明の効果】
【０００８】
請求項１記載の発明によれば、前記扉の上端部にヒンジを介して開閉自在の照明用電源としての太陽光電池を備えた二面からなるパネルを設けるので、太陽光電池を人目に付かない位置に配置できる。そして、扉を閉めるとヒンジを介して太陽光電池が重なり一面分の広さになるので、さらに目立たなくなる。
【０００９】
そして、見栄えが良くなり商品価値が向上する。また、太陽光電池が二面で構成されるので使用時に受光面積を増加させることができるので照明用電源としての効率が上がる。
【００１０】
さらに、前記扉の上端部に沿って前記照明付収納体に照明器具を納める収納筐体を設け、前記収納筐体の前記扉に対面する側面に扉上方に向かって斜面が設けられ、前記扉を閉めるのに連動して、第２の面は前記斜面を用いて前記スプリングの回転付勢に打勝って第１の面に重なり前記パネルが折畳まれるので、二面からなるパネル（照明用電源）の開閉を扉の開閉によって自動的に行なうことができる。
【００１１】
請求項２記載の発明によれば、前記パネルの幅は折畳まれた状態で前記扉の厚さ内に収まるので見栄えが良くなり商品価値が向上する。
【発明を実施するための最良の形態】
【００１２】
＜本発明の実施形態＞
以下に、本発明の実施形態を図1〜図３に基づいて説明する。
【００１３】
＜照明付収納体の構成＞  
図1、図２（ａ）、（ｂ）に示すように、本発明の照明付収納体１１は扉１２を備え、扉１２の上端部１２ａにはヒンジ１３を介して開閉自在の二面のパネルからなる照明用電源としての太陽光電池１４が設けられる。そして、二面を構成する第１の面１４ａを扉１２の上端部１２ａに固着する。前記ヒンジ１３は第２の面１４ｂを第１の面１４ａから開放する方向に回転付勢するスプリング１５を備えている。
【００１４】
ここで、扉１２が扉枠材１６を備える場合には、扉１２の上端部１２ａに沿って扉枠材１６の上部扉枠材１６ａに照明器具１７を納める収納筐体１８を設け、扉１２に対面する収納筐体１８の側面１８ａに扉上方に向かって斜面２１が設けられる。このため、扉１２を閉めるのに連動して、第２の面１４ｂは斜面２１に当接しながら移動するので、スプリング１５の回転付勢に打勝って第１の面１４ａに重なり太陽光電池１４の発電が停止する状態となる。
【００１５】
図３に示すように、扉１２の上端部１２ａに設けられる太陽光電池１４と、上部扉枠材１６ａに沿って設けられる収納筐体１８内の照明器具１７との間の可動部は電線コード２２が伸縮可能にコイル状２２ａで接続される。
【００１６】
このコイル状２２ａの電線コード２２は矢印で示す扉１２の開閉動作時に扉１２と扉枠材１６に挟まれて損傷しないような長さや相応しいコイル性状を選定して配置される。収納筐体１８にはＬＥＤ等の照明器具１７が左右２組設けられ、それぞれに照明付収納体１１の内部を照らす照明窓２３が設けられる。
【００１７】
＜照明付収納体の作用＞
上記のように、扉の上端部にヒンジを介して開閉自在の二面からなる照明用電源としての太陽光電池を設けるので、太陽光電池が人目に付かない位置に配置できるとともに、太陽光電池が二面で構成されるので受光面積を増加させることができる。
【００１８】
また、扉の周囲を囲む扉枠材における上部扉枠材に沿って照明器具を納める収納筐体を設け、扉に対面する収納筐体の側面に斜面が設けられるので、扉を閉めるのに連動して第２の面は斜面に当接しながら移動しスプリングの回転付勢に打勝って第１の面に重なり、太陽光電池の発電を自動的に停止できる。同様に、扉を開放するとスプリングの回転付勢によって太陽光電池の二面が自動的に開いて発電が自動的に開始できる。
【００１９】
以上、本発明の実施形態を図面に基づいて説明したが、上記の実施例はいずれも本発明の一例を示したものであり、本発明はこれらに限定されるべきでないということは言うまでもない。収納筐体１８に設けられる照明器具１７は複数のＬＥＤ等を設ける代わりに、テープ状の連続ＬＥＤ発光体を用いても良い。
【図面の簡単な説明】
【００２０】
【図１】本発明の実施形態における、照明付収納体１１の扉１２に設けられる太陽光電池１４と扉枠材１６に設けられる照明器具１７との関係を示す斜視図である。
【図２】本発明の実施形態における、（ａ）は図１の扉１２が開いた状態におけるＡ−Ａ断面図、（ｂ）は図１の扉１２が閉じた状態におけるＡ−Ａ断面図である。
【図３】本発明の実施形態における、図２（ａ）のＢ−Ｂ矢視図である。
【図４】従来例における、照明付収納体の斜視図である。
【符号の説明】
【００２１】
１１  照明付収納体
１２  扉
１２ａ  上端部
１３  ヒンジ
１４  太陽光電池
１４ａ  第１の面
１４ｂ  第２の面
１５  スプリング
１６  扉枠材
１６ａ  上部扉枠材
１７  照明器具
１８  収納筐体
１８ａ  側面
２１  斜面
【図１】
0004622744.tif 000002
【図２】
0004622744.tif 000003
【図３】
0004622744.tif 000004
【図４】
0004622744.tif 000005